(57)【要約】【課題】生活する中で発生する音や振動によってＬＥＤが自動点灯し、さらにユーザが本体部を撫でることによって明るさを変化させることができ、面倒な点灯操作が要求されず、ユーザの好みに応じて明るさの調整を簡単に行うことが可能なインテリア照明器具を提供する。【解決手段】置物（インテリア）として使用可能なものであり、内部が中空状に設定され且つ透光性及び導電性を有する本体部１と、音感センサ５と、音感センサ５音を検知することで点灯するＬＥＤ３と、本体部１に対する接触を検知するタッチセンサ６とを備え、ＬＥＤ３及び両センサ（音感センサ５、タッチセンサ６）を本体部１の内部空間１Ｓに配置し、ユーザが本体部１を触ったことをタッチセンサ６が検知する度にＬＥＤ３の光量が変化するように構成した。【選択図】図５
0003216404.tif 000002
【実用新案登録請求の範囲】
【請求項１】
置物として使用可能な照明器具であり、
内部が中空状に設定され且つ透光性を有する本体部と、
前記本体部の内部空間に配置された音感センサと、
前記本体部の内部空間に配置され且つ前記音感センサが音を検知することで点灯する光源と、
前記本体部の内部空間に配置され且つ前記本体部に対する外部からの接触を検知するタッチセンサとを備え、
前記タッチセンサが前記接触を検知することで前記光源の光量が変化するように構成していることを特徴とする照明器具。
【請求項２】
前記本体部が陶磁器製である請求項１に記載の照明器具。
【請求項３】
前記音感センサ、前記光源、前記タッチセンサ、及び電池ボックスをユニット化した光源ユニットを、前記本体部の底部に形成した開口部を蓋封する形態で配置している請求項１または２に記載の照明器具。
【請求項４】
前記タッチセンサが静電容量方式のものであり、前記タッチセンサと前記本体部の間に導電体を設けている請求項１乃至３の何れかに記載の照明器具。
【請求項５】
前記本体部が動物を模した形態である請求項１乃至４の何れかに記載の照明器具。
【考案の詳細な説明】
【技術分野】
【０００１】
本考案は、インテリアとして利用可能な照明器具に関するものである。
【背景技術】
【０００２】
従来より、インテリアとして利用可能な照明器具として、ＬＥＤやＬＥＤ点灯用のスイッチが本体部の内部空間に配置され、スイッチをＯＮにすることでＬＥＤから発光される光が本体部の内部から外部に放出されるように構成されたものが知られている（例えば特許文献１）。当該特許文献には、このような照明器具において、本体部を陶磁器製にすることで、本体部が重くなって重心が低くなり転倒し難く、複雑な形状の照明具でも比較的低コストで製作することができたり、陶磁器の重厚な外観により落ち着いた感じの照明具が得られるというメリットが開示されている。また、ＬＥＤの発光輝度が時間的に変動するように制御されれば、発光の強弱と長短が入り混じって、蝋燭や油火が揺れ動くような自然風の照明が演出可能である点も上記特許文献には開示されている。
【先行技術文献】
【特許文献】
【０００３】
【特許文献１】特開２００２−２０３４０９号公報
【考案の概要】
【考案が解決しようとする課題】
【０００４】
ところで、上記特許文献に開示されているような周知の照明器具は、本体部の内部空間に配置されたスイッチを手動でＯＮにすることでＬＥＤが点灯するものであるため、ユーザには、本体部の内部空間に手を差し入れてスイッチを押す操作が要求され、ユーザにとっては面倒である。特に、夜の帰宅時や夜中の移動時等に暗い部屋でスイッチを入れてＬＥＤを点灯させる操作は手探りの状態で行うことになり、慣れるまでに時間が掛かる場合がある。例えば朝や昼間等の明るい時間帯からスイッチをＯＮにしてＬＥＤが点灯している状態を維持しておけば、暗い部屋等での手探りのスイッチ操作は不要になるものの、節電や電池寿命という点では好ましくない。
【０００５】
また、上記特許文献には、２個以上のＬＥＤを互いに異なるパターンで点滅させることで、ＬＥＤの発光輝度を時間的に変動させる態様が開示されているが、照明器具の使用開始時や使用中に、ユーザの好み等に応じて点滅パターンや光量を変化させるという発想は何ら開示されておらず、一定のスパンでみれば照明パターンは同じである。
【０００６】
本考案は、このような点に着目してなされたものであって、主たる目的は、暗い部屋等であっても面倒な点灯作業が要求されず、ユーザの好みに応じた光量の調整を簡単に行うことが可能な置物照明器具を提供することにある。
【課題を解決するための手段】
【０００７】
すなわち、本考案に係る照明器具は、置物（インテリア）として使用可能なものであり、内部が中空状に設定され且つ透光性及び導電性を有する本体部と、音感センサと、音感センサが音または空気振動（以下「音」として総称する）を検知することで点灯する光源と、本体部に対する外部からの接触を検知するタッチセンサとを備え、光源及び両センサ（音感センサ、タッチセンサ）を本体部の内部空間に配置し、本体部に対する外部からの接触をタッチセンサが検知することで光源の光量が変化するように構成していることを特徴としている。
【０００８】
このような本考案に係る照明器具であれば、例えば部屋の中にインテリアとして置いておき、音感センサが音を検知することで光源が自動点灯するため、本体部の内部空間に手を差し入れてスイッチを押す操作が不要であり、暗い部屋でもドアの開閉音や足音等に反応して光源が自動点灯して、その光が透光性を有する本体部を透過して照明光となる。特に、本考案に係る照明器具では、本体部に対する外部からの接触をタッチセンサが検知する度に光源の光量が変化するように構成しているため、ユーザが本体部を触る回数等によってユーザの好みに応じた光量を選択するような構成を採用することができる。さらに、本考案では、光源及び両センサ（音感センサ、タッチセンサ）を本体部の内部空間に配置していることにより、取り扱い性に優れ、本体部の形態がそのまま照明器具全体の意匠となり、デザイン性の向上を図ることができる。
【０００９】
本考案における本体部は透光性であれば特に限定されないが、陶磁器製の本体部であれば、手触りが良く、比較的低コストでありながら細部にこだわったデザインを実現でき、陶磁器によって醸し出される特有の光の雰囲気を確保することができる。本体部をシリコン製にした場合はシリコン特有の臭い匂いがするが、陶磁器製であればそのような匂いもなく、インテリアとして好適である。
【００１０】
また、本考案において、音感センサ、光源、タッチセンサ、電池ボックスをユニット化した光源ユニットを、本体部の底部に形成した開口部を蓋封する形態で配置する構成を採用すれば、照明機能に関する部品をユニット化してコンパクトにすることができるとともにデザインが異なる本体部に対しても、各本体部の開口部を蓋封する位置に共通の光源ユニットを配置することができ、本体部のデザイン毎に光源ユニットを変更する構成と比較して、部品の共用化及び低コスト化を図ることができる。
【００１１】
本考案のタッチセンサの種類は特に限定されないが、好適な一例として、静電容量方式のタッチセンサを挙げることができる。この場合、タッチセンサと本体部の間に導電体（例えばコイルバネ）を配置すればよい。
【００１２】
本体部の形態もまた特に限定されないが、本体部が動物を模した形態であれば、その動物を撫でるようにユーザが本体部を触ることで光量が変化する経験を通して、ユーザが癒やされたり、照明置物に愛着を持つ効果を期待できる。
【００１３】
本考案の照明器具における光源として、蛍光灯や各種電球等を適用することも可能であるが、光量、発熱性、コンパクト性の点でＬＥＤを適用することが好ましい。そして、ＬＥＤを本体部の内部空間のうち相対的に本体部の底部に近い位置に配置することによって、本体部の底部以外の部分を満遍なくＬＥＤで照射できる。
【００１４】
照明器具の電源は、電気配線から電流を取るコードタイプでもよいが、携帯性や設置場所を選ばないという観点ではボタン電池（ボタンのような小さく扁平な円形の電池）や小型乾電池（単四形乾電池、単三形乾電池）であることが好ましい。ＬＥＤの数や、光量の変化パターンも販売価格（流通価格）や購入者層の嗜好等に応じて適宜選択・変更することができる。
【考案の効果】
【００１５】
本考案によれば、生活する中で発生する音によってＬＥＤが自動点灯するため、面倒な点灯操作が要求されず、さらにユーザが本体部を撫でることによってＬＥＤの光量を変化させることができ、ユーザの好みに応じて光量の調整を簡単に行うことが可能なインテリア照明器具を提供することができる。
【図面の簡単な説明】
【００１６】
【図１】本考案の一実施形態に係る照明器具の全体外観図。
【図２】同実施形態に係る照明器具の平面図及び底面図。
【図３】同実施形態に係る照明器具の正面図及び背面図。
【図４】同実施形態に係る照明器具の側面図及び使用状態を示す図。
【図５】同実施形態に係る照明器具の構成説明図。
【図６】同実施形態に係る照明器具の他の例を示す図。
【考案を実施するための形態】
【００１７】
以下、本考案の一実施形態を、図面を参照して説明する。
【００１８】
本実施形態に係る照明器具Ｘは、図１乃至図５に示すように、中空の内部空間１Ｓを有する本体部１と、本体部１の内部空間１Ｓに設けた光源ユニット２とを備え、光源ユニット２のＬＥＤ３が点灯することで照明機能を発揮するものである。図１（ａ），（ｂ）はそれぞれ消灯状態、点灯状態の照明器具Ｘの全体外観図であり、図２（ａ），（ｂ），（ｃ）はそれぞれ照明器具Ｘの平面図、底面図（電池蓋２３を装着した状態）、底面図（電池蓋２３を装着していない状態）であり、図３（ａ），（ｂ）はそれぞれ照明器具Ｘの正面図、背面図である。また、図４（ａ），（ｂ）はそれぞれ照明器具Ｘの側面図、一使用例（本体部１をユーザが撫でる様子）を示す図であり、図５（ａ）は光源ユニット２の全体外観図であり、図５（ｂ）は照明器具Ｘの全体構成模式図である。
【００１９】
本体部１は、透光性を有するものであり、全体として動物（図示例では、座っているウサギ）を模した形態に成形されたものである。本実施形態では、所定の透光性陶磁器用練り土を可塑成形した後、焼成して得られる本体部１、つまり陶磁器製の本体部１を適用している。本実施形態では、全体に均一又はほぼ均一な透光性を有する陶磁器製の本体部１を適用している。図２（ｂ），（ｃ）、及び図５（ｂ）に示すように、本体部１の底部には、置物としての安定性を確保するためにフラットな底面１１を形成し、底面１１よりも所定寸法だけ上方へ窪んだ窪み部１２の所定領域に、光源ユニット２で蓋封される開口部１３を形成している。
【００２０】
光源ユニット２は、図２（ｂ），（ｃ）及び図５に示すように、本体部１の開口部１３を蓋封するベース部２１と、ベース部２１に一体成形され下方に開放した電池ボックス２２と、電池ボックス２２を蓋封する電池蓋２３と、ベース部２１の外縁における所定位置から上方に突出する係止片２４と、スイッチ４と、音感センサ５と、タッチセンサ６と、複数のＬＥＤ３と、タッチセンサ６に電気的に接続可能な姿勢で設けたコイルバネ７（本考案における「導電体」）と、回路基板８とをユニット化したものである。本実施形態の光源ユニット２は、単一の回路基板８に、スイッチ４、音感センサ５、タッチセンサ６及びＬＥＤ３を実装している。回路基板８は、電池ボックス２２の上方に設けられている。
【００２１】
スイッチ４のうちユーザが直接触って操作する部分（摘まみ部分）は、ベース部２１に設けたスイッチ用開口部４１を通じてベース部２１よりも下方に配置されている（図２、図５（ｂ）参照）。したがって、ユーザは照明器具Ｘを裏返すことで、スイッチ４をＯＮ状態とＯＦＦ状態に切り替えることができる。本実施形態では、スイッチ４を操作して、音感センサ５によるセンシング処理をＯＦＦ状態にする「ＯＦＦ」と、ＬＥＤ３を点灯させて１分後に自動消灯する「１分」と、ＬＥＤ３を点灯させて３０分後に自動消灯する「３０分」とから選択できるように設定している。例えば、スイッチ用開口部４１のうち長手方向中央部分を「ＯＦＦ」のスイッチ位置に設定し、スイッチ用開口部４１の両端を「１分」、「３０分」の各スイッチ位置に設定し、スイッチ４をスイッチ用開口部４１内でスライドさせることで適宜のスイッチ位置を選択可能に構成することができる。
【００２２】
音感センサ５は、音を検知する既知のもの（マイクが電子ユニットに内蔵されたもの）であり、ベース部２１のうち音感センサ５の実装箇所に近い部分に貫通孔５１を形成し、感度向上を図っている（図２参照）。
【００２３】
タッチセンサ６は、本体部１に対する外部からの接触を検知するものである。本実施形態では、静電容量方式のタッチセンサ６を適用し、図５（ｂ）に示すように、タッチセンサ６と本体部１の間に導電体であるコイルバネ７を設けていることによって、本体部１に人の手が触れることで通電するように構成している。そして、本実施形態の照明器具Ｘは、ＬＥＤ３の点灯中にユーザが本体部１を撫でると、タッチセンサ６がその接触を感知して光量を変化させるように構成している。ＬＥＤ３の点灯中にタッチセンサ６が、本体部１に対する接触を感知（人感反応）する度に、光量を段階的に低下（暗く）させ、検知回数が所定数になると元（初期）の光量に戻るように設定している。本実施形態では、ＬＥＤ３の光量を３段階（強、中、弱）に変化させることができ、ＬＥＤ３の初回点灯時（スイッチをＯＦＦからＯＮに切り替えた時）にＬＥＤ４の明るさを「強」に設定し、タッチセンサ６が感知する度に、強、中、弱、中、強、中、弱…のサイクルで明るさが変化するように設定している。なお、点灯中のＬＥＤ３がタッチセンサ６による人感反応をきっかけに消灯することはない。本実施形態では、コイルバネ７が、本体部１のうち天井面の中央部分（具体的には、座っているウサギの耳及び背中あたり）に接触している。したがって、図５（ｂ）に示すように、ユーザが本体部１のうちウサギの耳及び背中あたりに相当する部分を撫でるように触ることで、ＬＥＤ３の光量が変化する。
【００２４】
ＬＥＤ３は、所定のパターンで回路基板８上に実装されたものであり、本実施形態では、暖色の光を照射するＬＥＤを適用している。また、本実施形態の照明器具Ｘは、ＬＥＤ３の自動点灯時に１秒程度掛けて光量が初期の光量まで漸次増加し、ＬＥＤ３の自動消灯時に１秒程度掛けて光量がゼロになるまで漸次低下するように設定している。
【００２５】
本実施形態の照明器具Ｘは、本体部１の底部に形成した開口部１３の周囲に樹脂製のパッキング（図示省略）を配置し、このパッキングを介して光源ユニット２を本体部１の底部に嵌め込んだ状態で組み付けている。この組付状態において、コイルバネ７が本体部１の内向き面（本体部１の外側からアクセス不能な面）の所定領域に接触している。また、照明器具Ｘを裏返すと、光源ユニット２に設けたスイッチ４の摘まみ部分にアクセスすることができるように構成している。
【００２６】
次に、このような構成を有する本実施形態に係る照明器具Ｘの使用方法及び作用について説明する。
【００２７】
先ず、ユーザは電池蓋２３を開けて所定の乾電池（例えば単四電池３本）を電池ボックス２２にセットして電池蓋２３を閉める。次に、初期状態でＯＦＦ状態に設定されているスイッチ４をＯＮ状態に切り替える。乾電池のセットやスイッチ４の切替操作は、照明器具Ｘを裏返した状態で行うことができる。本実施形態では、上述の通り、「ＯＦＦ」の位置にあるスイッチ４を「１分」または「３０分」の何れかの位置に移動させて選択することができる。
【００２８】
ユーザが、スイッチ４を「ＯＦＦ」から「ＯＮ」（本実施例では「１分」または「３０分」）に切り替えると、ＬＥＤ３は点灯し、スイッチ４の操作で選択した所定時間経過後に自動消灯する。そして、スイッチ４を「ＯＮ」に設定した状態で任意の設置場所（例えば玄関の棚の上、階段、ベッドサイド等）に設置した使用状態では、スイッチ４の位置を「ＯＦＦ」にしない限り、本実施形態の照明器具Ｘは、所定値（例えば６１デシベル）以上の音を音感センサ５で検知するとＬＥＤ３が再び自動点灯する。したがって、玄関ドアの開閉音やスリッパでの足音等でＬＥＤ３は点灯する。なお、本実施形態では、スイッチ４を「ＯＦＦ」から「ＯＮ」（本実施例では「１分」または「３０分」）に切り替える操作自体でＬＥＤ３が所定時間（「１分」または「３０分」等）自動点灯するように設定しているが、スイッチ４の切替操作自体ではＬＥＤ３が点灯せず（スイッチ４操作時の音を音感センサ５が検知した場合を除く）、スイッチ４を「ＯＮ」にした状態で音感センサ５が音を検知した場合にＬＥＤ３が自動点灯するように設定してもよい。
【００２９】
ＬＥＤ３が自動点灯している状態でユーザが本体部１のうち上面部の中央部分（ウサギの耳や背中あたり）を触ると、上端部分が本体部１に内部から弾接しているコイルバネ７に微弱な電流が流れる。そして、コイルバネ７の下端部がタッチセンサ６と共通の回路基板８に接続されていることにより、ユーザが本体部１に触れたことをタッチセンサ６で感知することができ、その結果、点灯状態にあるＬＥＤ３の光量が変化する。上述の通り、本実施形態の照明器具Ｘは、本体部１をユーザが触ったことをタッチセンサ６で検知する（人感反応がある）ごとに、光量を段階的に低下（暗く）させ、検知回数が所定数になるとそれ以降は光量を段階的に増加（明るく）し、元（初期）の光量に戻る。
【００３０】
ＬＥＤ３が点灯した時点以降であって且つタッチセンサ６による検知無反応状態が所定時間（スイッチ４操作で選択した時間であり、本実施例では１分または３０分）継続すると、ＬＥＤ３は自動消灯する。ＬＥＤ３が１秒程度掛けて点灯したり、消灯することで、柔らかい印象をユーザに与えることができる。
【００３１】
このように、本実施形態に係る照明器具Ｘによれば、例えば本体部１の形態に依拠したデザイン性に富むインテリアとして置き飾ることができ、音感センサ５が音を検知することでＬＥＤ３が自動点灯するため、本体部１の内部空間１Ｓに手を差し入れてスイッチ４を押す操作が不要であり、暗い部屋でもドアの開閉音や足音等に反応してＬＥＤ３が自動点灯して、その光が透光性を有する本体部１を透過して照明光となり、ユーザの足元や手元を照らす間接照明として機能する。特に、本実施形態に係る照明器具Ｘは、ユーザが本体部１を触ったことをタッチセンサ６で検知することにより、ＬＥＤ３の光量を変化させるように構成しているため、ＬＥＤ３の点灯中にユーザが本体部１を触る回数によってユーザの好みに応じた光量を選択することが可能である。さらに、本実施形態の照明器具Ｘは、ＬＥＤ３及び両センサ（音感センサ５、タッチセンサ６）を本体部１の内部空間１Ｓに配置しているため、取り扱い性に優れ、本体部１の形態がそのまま照明器具Ｘ全体の意匠となり、デザイン性の向上を図ることができる。
【００３２】
加えて、本実施形態に係る照明器具Ｘは、陶磁器製の本体部１を適用しているため、手触りが良く、比較的低コストでありながら細部にこだわったデザインを実現でき、陶磁器を透した特有の光の柔らかい雰囲気を醸し出すことが可能である。
【００３３】
本実施形態に係る照明器具Ｘは、音感センサ５、ＬＥＤ３、タッチセンサ６、電池ボックス２２をユニット化した光源ユニット２を、本体部１の底部に形成した開口部１３を蓋封する形態で配置する構成であるため、照明機能に関する部品をユニット化してコンパクトにすることができるとともにデザインの異なる本体部１に対して共通の光源ユニット２を適用することができ、本体部１のデザイン毎に光源ユニット２を変更する構成と比較して、部品の共用化及び低コスト化を図ることができる。
【００３４】
また、本実施形態に係る照明器具Ｘの本体部１は、動物を模した形態であるため、その動物を撫でるようにユーザが本体部１を触ることで照明の明るさが変化する事象を通して、ユーザが癒やされたり、照明置物に愛着を持つ効果を期待できる。
【００３５】
本実施形態に係る照明器具Ｘは、ＬＥＤ３を本体部１の内部空間１Ｓのうち相対的に本体部１の底部に近い位置に配置し、上方及び側方を照射する姿勢でＬＥＤ３を回路基板８に実装しているため、本体部１の上面部及び側方部を満遍なくＬＥＤ３で照射することができる。
【００３６】
なお、本考案は上述した実施形態に限定されるものではない。例えば、本考案における本体部は透光性であれば特に限定されず、陶磁器製以外の素材（シリコン等）からなる本体部を適用してもよい。
【００３７】
上述の実施形態では、タッチセンサが静電容量方式のセンサである場合に、タッチセンサと本体部の間に配置する導電体の一例として、コイルバネを示したが、コイルバネ以外の導電体を用いることもできる。また、コイルバネ全体が収縮した起立姿勢でタッチセンサと本体部の間に配置する態様に代えて、コイルバネの先端部分が本体部の形状に沿って所定方向に曲がった形態で配置する態様でも構わない。タッチセンサには、静電容量方式のセンサ以外のものとして、抵抗膜方式のセンサや振動センサ等を適用することもできる。
【００３８】
本体部の形態もまた特に限定されず、動物を模した形態の本体部の例として、図６（ａ）に示すネコや、同図（ｂ）に示すハリネズミ等を挙げることができ、その他の動物、あるいは動物以外の形態を模した本体部であってもよい。
【００３９】
本考案では、光源として、蛍光灯や各種電球等を適用することも可能である。
照明器具の電源は、携帯性や設置場所を選ばないという点でボタン電池（ボタンのような小さく扁平な円形の電池）や単四形乾電池であることが好ましいが、電気配線から電流を取るコードタイプでもよい。光源の数や、光量の変化パターンも販売価格や購入者層の嗜好等に応じて適宜選択・変更することができる。光量の変化パターンとして、タッチセンサが本体部に対する外部からの接触を検知すると、動物が呼吸しているイメージで光量の増減（ゆるやかな光量の増減）を繰り返すパターンを挙げることができる。
【００４０】
光源を自動点灯させてから自動消灯（点灯時間）するまでの時間も適宜選択・変更することができ、ユーザが選択する点灯時間の選択パターン（上述の実施形態であれば１分、３０分）も販売価格等に応じて適宜増減することができ、選択パターンのないもの、つまり点灯時間を１パターンのみに設定しすることもできる。
【００４１】
その他、各部の具体的構成についても上記実施形態に限られるものではなく、本考案の趣旨を逸脱しない範囲で種々変形が可能である。
【符号の説明】
【００４２】
１…本体部
２…光源ユニット
３…光源（ＬＥＤ）
５…音感センサ
６…タッチセンサ
７…導電体（コイルバネ）
Ｘ…照明器具
【図１】
0003216404.tif 000003
【図２】
0003216404.tif 000004
【図３】
0003216404.tif 000005
【図４】
0003216404.tif 000006
【図５】
0003216404.tif 000007
【図６】
0003216404.tif 000008